(57)【要約】【課題】光学素子を基準部材に対して確実に固定することができるとともに、振動や衝撃の影響を受けることなく位置決め精度を高精度に維持することのできる光学素子固定構造を提供する。【解決手段】ＣＣＤステー５６ａ、５６ｂに対して、セルフォックレンズアレイ８２及び第１フィルタ８４の中間部を引張弾性率の大きい第１接着剤８８によって接着する一方、セルフォックレンズアレイ８２及び第１フィルタ８４の両側部側を引張弾性率の小さい第２接着剤９０ａ、９０ｂによって接着することにより、捻れのない状態で高精度に位置決め固定することができる。【選択図】図９
2005070642.tif 000002
【特許請求の範囲】
【請求項１】
光学素子を基準部材に対して固定する光学素子固定構造において、
前記光学素子の複数の部位が、引張弾性率の異なる２種以上の接着剤により前記基準部材に固定されることを特徴とする光学素子固定構造。
【請求項２】
請求項１記載の構造において、
前記光学素子は、長尺光学素子であり、前記長尺光学素子の長手方向の中間部が第１接着剤により固定され、前記中間部の両側部が前記第１接着剤と異なる引張弾性率からなる第２接着剤により固定されることを特徴とする光学素子固定構造。
【請求項３】
請求項２記載の構造において、
前記第１接着剤の引張弾性率は、前記第２接着剤の引張弾性率よりも大きく設定されることを特徴とする光学素子固定構造。
【請求項４】
請求項３記載の構造において、
前記第１接着剤は、引張弾性率が２０００〜５０００Ｎ／ｍｍ2であり、前記第２接着剤は、引張弾性率が０．０１〜０．１Ｎ／ｍｍ2であることを特徴とする光学素子固定構造。
【請求項５】
請求項２記載の構造において、
前記長尺光学素子は、ラインセンサに対して光を集光する集光光学素子であることを特徴とする光学素子固定構造。
【発明の詳細な説明】
【技術分野】
【０００１】
本発明は、光学素子を基準部材に対して固定する光学素子固定構造に関する。
【背景技術】
【０００２】
例えば、画像情報の記録された記録シートに対して光ビームを照射し、得られた光情報を集光光学素子を介してラインセンサに導き、電気信号に変換して読み取る画像読取装置がある。この場合、光ビームを出力する光源、集光光学素子及びラインセンサを記録シートに沿って移動させることにより、画像情報を二次元的に読み取ることができる。
【０００３】
ところで、このような画像読取装置において、記録シートから画像情報を高精度に読み取るためには、記録シート及びラインセンサに対する集光光学素子の位置を正確に設定しておく必要がある。
【０００４】
そこで、光学素子を基準部材に位置決めして固定する方法として、特許文献１には、可視光硬化樹脂接着剤を用いて結像光学系をハウジングに接着固定する方法が開示されている。また、特許文献２には、押圧部材を用いて支持部材に光学素子を押圧して位置決め固定する方法が開示されている。さらに、特許文献３には、フレームに複数の突起を設け、これらの突起に接着剤を介して光学素子を位置決め固定する方法が開示されている。
【０００５】
【特許文献１】特開平５−８０２６８号公報
【特許文献２】特開２００２−２５８１２８号公報
【特許文献３】特開平１０−２６８１８３号公報
【発明の開示】
【発明が解決しようとする課題】
【０００６】
しかしながら、特許文献１では、例えば、結像光学系の固定に使用する接着剤の硬度が高いと、振動や衝撃が付与された場合、接着剤にひび等が発生するおそれがあり、これによって結像光学系のハウジングに対する取付位置がずれたり、あるいは、結像光学系がハウジングから脱落してしまうおそれがある。また、硬度の低い接着剤の場合には、振動の影響によってハウジングに対する結像光学系の位置が不安定となる問題がある。
【０００７】
一方、特許文献２の場合では、光学素子の固定に押圧部材を用いているため、構成部品点数が増大してコストアップに繋がってしまう。また、押圧部材が光学素子の光路近傍に配設されることになるため、無用な散乱光が発生する原因となるおそれがある。従って、押圧部材の形状や位置関係が著しく制約されてしまう。特に、ラインセンサに対して光を導く長尺な光学素子を、押圧部材を用いて捻れのない状態で位置決め固定することは、極めて困難である。
【０００８】
さらに、特許文献３では、突起を介して光学素子を位置決め固定する構造であるため、衝撃等に対して不安定であり、場合によっては光学素子が脱落してしまうことが懸念される。
【０００９】
本発明は、前記の課題を解決するためになされたものであり、光学素子を基準部材に対して確実に固定することができるとともに、振動や衝撃の影響を受けることなく位置決め精度を高精度に維持することのできる光学素子固定構造を提供することを目的とする。
【課題を解決するための手段】
【００１０】
本発明は、光学素子を基準部材に対して固定する光学素子固定構造において、
前記光学素子の複数の部位が、引張弾性率の異なる２種以上の接着剤により前記基準部材に固定されることを特徴とする。
【００１１】
この場合、光学素子は、引張弾性率の大きい接着剤によって基準部材に高精度且つ強固に位置決めされる一方、引張弾性率の小さい接着剤によって衝撃等の影響を緩和し、基準部材に確実に保持されるとともに、引張弾性率の大きい接着剤の割れやひびを抑えることができる。
【００１２】
長尺光学素子を基準部材に固定する場合、中間部と長手方向の両側部とを異なる引張弾性率からなる接着剤で固定することにより、捻れの発生を回避して光学素子を確実且つ正確に位置決め固定することができる。中間部を固定する接着剤の引張弾性率を長手方向の両側部を固定する接着剤の引張弾性率よりも大きく設定することにより、捻れの発生を一層確実に回避することができる。なお、中間部の接着剤の引張弾性率を２０００〜５０００Ｎ／ｍｍ2、両側部の接着剤の引張弾性率を０．０１〜０．１Ｎ／ｍｍ2とすると好適である。
【００１３】
本発明の光学素子固定構造は、ラインセンサに対して光を集光する集光光学素子を基準部材に固定する場合に適用することができる。
【発明の効果】
【００１４】
本発明の光学素子固定構造によれば、光学素子を基準部材に対して確実に固定することができるとともに、振動や衝撃の影響を受けることなく位置決め精度を高精度に維持することができる。特に、長尺な光学素子を基準部材に位置決め固定する場合、捻れのない状態で正確に固定することができる。
【発明を実施するための最良の形態】
【００１５】
図１は、本発明の光学素子固定構造が適用される放射線画像情報読取装置２０の概略構成を示す。放射線画像情報読取装置２０は、支持台２２に立設された支柱２４と、支柱２４に昇降可能な状態で支持される本体部２６とを備える。
【００１６】
本体部２６を構成する筐体２８の前部は、被写体３０が位置決めされる撮影台３２となる。撮影台３２には、放射線源３４から被写体３０を介して照射されるＸ線の線量を計測して照射量を制御するフォトタイマ３６と、散乱線除去用のグリッド３８とが配設される。
【００１７】
本体部２６の内部には、撮影台３２に対して近接する位置（実線）と、撮影台３２から離間する位置（二点鎖線）との間で矢印方向に移動可能な蓄積性蛍光体シートＩＰが配設される。なお、蓄積性蛍光体シートＩＰとは、放射線（Ｘ線、α線、β線、γ線、電子線、紫外線等）を照射すると、その放射線エネルギの一部を蓄積し、後にレーザ光や可視光等の励起光を照射することで蓄積されたエネルギに応じた輝尽発光を示す蓄積性蛍光体層を有するシートである。
【００１８】
また、本体部２６の内部には、二点鎖線で示す位置に配置された蓄積性蛍光体シートＩＰの前面に沿って上下方向に移動する読取消去ユニット４０が配設される。読取消去ユニット４０は、蓄積性蛍光体シートＩＰに対して励起光を照射し、蓄積された放射線エネルギの強度に応じて出力される輝尽発光光を光電的に読み取る読取部４２と、放射線画像情報の読み取られた蓄積性蛍光体シートＩＰに対して消去光を照射し、残存する放射線エネルギを除去する消去部４４とから構成される。
【００１９】
読取部４２は、励起光Ｌを出力する複数のレーザダイオード４１ａ〜４１ｘと、蓄積性蛍光体シートＩＰから得られた輝尽発光光Ｐを電気信号に変換する複数のＣＣＤラインセンサ４３ａ〜４３ｅとを備える。消去部４４は、消去光を出力する複数の冷陰極管４５ａ〜４５ｍを備える。
【００２０】
読取消去ユニット４０は、図２の矢印で示す移動方向（副方向）と直交する方向（主方向）に長尺に構成される。読取部４２に収納されるレーザダイオード４１ａ〜４１ｘは、図３の模式的配置図に示すように、読取部４２の長手方向に沿って所定間隔に配列される。また、レーザダイオード４１ａ〜４１ｘの下部及び上部には、３本のＣＣＤラインセンサ４３ａ、４３ｃ及び４３ｅと、２本のＣＣＤラインセンサ４３ｂ及び４３ｄとが千鳥状に配列される。
【００２１】
図２に示すように、読取部４２の長手方向の両側部には、ブラケット５０ａ、５０ｂが配設されており、これらのブラケット５０ａ、５０ｂは、蓄積性蛍光体シートＩＰの両側部に沿って上下方向に延在するガイドレール４９ａ、４９ｂに係合する。また、ガイドレール４９ａ、４９ｂに沿って搬送ベルト４６ａ、４６ｂが配設されており、これらの搬送ベルト４６ａ、４６ｂに消去部４４の両側部に配設されたブラケット４７ａ、４７ｂが係合する。搬送ベルト４６ａ、４６ｂは、本体部２６の略中央部に配設される読取消去ユニット移動モータ４８により駆動され、読取消去ユニット４０をガイドレール４９ａ、４９ｂに沿って上下方向に移動する。
【００２２】
次に、読取部４２の構成について詳細に説明する。
【００２３】
図４は、読取部４２の一部を模式的に示した要部断面図である。読取部４２の長手方向の両側部には、図２及び図５に示すように、ブラケット５０ａ、５０ｂに固定されるフレーム側板５２ａ、５２ｂが配設され、フレーム側板５２ａ、５２ｂ間には、ＣＣＤラインセンサ４３ａ〜４３ｅ及びＣＣＤ集光光学系５４ａ〜５４ｅ（光学素子）を位置決め固定する三角柱形状のＣＣＤステー５６ａ、５６ｂ（基準部材）が配設される。また、フレーム側板５２ａ、５２ｂの段部５３ａ、５３ｂ間には、図６に示すように、レーザダイオード４１ａ〜４１ｘ及びレーザ励起光学系５８ａ〜５８ｘを位置決め固定する断面Ｌ字形状のＬＤステー６０が位置決め固定される。この場合、ＬＤステー６０は、フレーム側板５２ａ、５２ｂに装着された位置決めブラケット６１ａ、６１ｂに対してＬＤステー６０を当接させることにより、捻れのない状態でフレーム側板５２ａ、５２ｂに位置決めされる。
【００２４】
レーザダイオード４１ａ〜４１ｘから出力された励起光Ｌは、ＣＣＤステー５６ａ、５６ｂ間の間隙１０４を介して蓄積性蛍光体シートＩＰに照射される。読取部４２の下部には、レーザダイオード４１ａ〜４１ｘを制御するＬＤ制御基板６２が配設され、レーザダイオード４１ａ〜４１ｘの背面部には、ＣＣＤラインセンサ４３ａ〜４３ｅを制御するＣＣＤ制御基板６４が配設される。
【００２５】
ＣＣＤラインセンサ４３ａ〜４３ｅの長手方向の両端部には、図７及び図８に示すように、第１金属ブロック６６ａ、６６ｂが螺子部材６８によって装着される。その後、固定状態を確実なものとするため、螺子部材６８を接着剤により第１金属ブロック６６ａ、６６ｂに固定することが望ましい。また、第１金属ブロック６６ａ、６６ｂには、第２金属ブロック７０ａ、７０ｂが２本の螺子部材７２によって固定される。さらに、第２金属ブロック７０ａ、７０ｂには、ガラスブロック７４ａ、７４ｂが接着剤を用いて固定される。そして、ガラスブロック７４ａ、７４ｂは、紫外線硬化性樹脂やエポキシ樹脂系の接着剤によりＣＣＤステー５６ａ、５６ｂに固定される。
【００２６】
この場合、第１金属ブロック６６ａ、６６ｂ及び第２金属ブロック７０ａ、７０ｂは、ＣＣＤステー５６ａ、５６ｂと同一の金属、あるいは、線膨張率が略同一とみなせる金属によって構成される。ＣＣＤラインセンサ４３ａ〜４３ｅは、第１金属ブロック６６ａ、６６ｂ、第２金属ブロック７０ａ、７０ｂ及びガラスブロック７４ａ、７４ｂを介してＣＣＤステー５６ａ、５６ｂに位置決め固定される。なお、ＣＣＤラインセンサ４３ａ〜４３ｅには、信号ケーブル７６ａ〜７６ｊが接続されるコネクタ７８ａ〜７８ｊを有する基板８０ａ〜８０ｅが連結される（図５参照）。
【００２７】
ＣＣＤ集光光学系５４ａ〜５４ｅは、蓄積性蛍光体シートＩＰ側からセルフォックレンズアレイ８２、第１フィルタ８４及び第２フィルタ８６が順に配設される。第１フィルタ８４及び第２フィルタ８６は、蓄積性蛍光体シートＩＰからの輝尽発光光Ｐを透過させ、それ以外の光を遮断するバンドパスフィルタであり、光学接着剤により相互に接着される。なお、第１フィルタ８４及び第２フィルタ８６は、ＣＣＤステー５６ａ、５６ｂ、セルフォックレンズアレイ８２、又は、ＣＣＤラインセンサ４３ａ〜４３ｅに接着されていてもよい。また、第１フィルタ８４及び第２フィルタ８６の表面に赤光又は赤外光をカットするコーティングを施すと好適である。
【００２８】
セルフォックレンズアレイ８２は、２種類の接着剤によりＣＣＤステー５６ａ、５６ｂに接着される。すなわち、図９に示すように、ＣＣＤステー５６ａ、５６ｂとセルフォックレンズアレイ８２とは、長手方向の中間部が第１接着剤８８により接着固定されるとともに、中間部の両側部が第１接着剤８８と異なる引張弾性率からなる第２接着剤９０ａ、９０ｂにより接着固定される。
【００２９】
第１接着剤８８としては、引張弾性率が２０００〜５０００Ｎ／ｍｍ2の範囲のエポキシ系接着剤を用いることができる。また、第２接着剤９０ａ、９０ｂとしては、引張弾性率が０．０１〜０．１Ｎ／ｍｍ2の範囲のシリコーン系接着剤を用いることができる。また、第１接着剤８８及び第２接着剤９０ａ、９０ｂの塗布範囲は、セルフォックレンズアレイ８２の長さをｋとして、第１接着剤８８を中間部の１／５・ｋの範囲、第２接着剤９０ａ、９０ｂを両側部の１／３・ｋの範囲とすると好適である。
【００３０】
長手方向の両側部側に使用される引張弾性率が小さい第２接着剤９０ａ、９０ｂによる接着範囲を第１接着剤８８の接着範囲よりも広く設定することにより、セルフォックレンズアレイ８２のＣＣＤステー５６ａ、５６ｂからの脱落を確実に回避することができるとともに、セルフォックレンズアレイ８２の捻れを回避することができる。また、引張弾性率の大きい第１接着剤８８によって、セルフォックレンズアレイ８２を振動や衝撃の外乱の影響を受けることなく正確に位置決め固定することができる。
【００３１】
なお、図１０に示すように、ＣＣＤステー５６ａ、５６ｂの第１接着剤８８及び第２接着剤９０ａ、９０ｂが塗布される部分の間に溝部９２を形成することにより、余剰の第１接着剤８８及び第２接着剤９０ａ、９０ｂを溝部９２に流入させることができる。これにより、ＣＣＤステー５６ａ、５６ｂとセルフォックレンズアレイ８２とを接着する第１接着剤８８及び第２接着剤９０ａ、９０ｂの量の管理が極めて容易になる。
【００３２】
ＣＣＤステー５６ａ、５６ｂに固定されたＣＣＤラインセンサ４３ａ〜４３ｅ及びＣＣＤ集光光学系５４ａ〜５４ｅには、外部からの不要光の入射を回避するべく、図４及び図７に示すように、長手方向に沿って遮光用シート９４が装着される。また、ＣＣＤ集光光学系５４ａ〜５４ｅの両端部に対しても、図７に示すように、遮光用シート９６が装着される。
【００３３】
レーザダイオード４１ａ〜４１ｘは、図６に示すように、ＬＤステー６０の長手方向に沿って２本の螺子部材９８で固定されたＬＤブラケット１００ａ〜１００ｘの孔部１０２に圧入することで固定される。なお、接着剤を用いて固定してもよい。レーザダイオード４１ａ〜４１ｘを保持するＬＤブラケット１００ａ〜１００ｘの孔部１０２は、図１１に示すように、ＬＤブラケット１００ａ〜１００ｘに保持された状態でＣＣＤステー５６ａ、５６ｂ間の間隙１０４から蓄積性蛍光体シートＩＰに臨むように配置される。
【００３４】
なお、図１１は、ＬＤブラケット１００ａ〜１００ｘと間隙１０４及びＣＣＤラインセンサ４３ａ〜４３ｅとの配置関係を明確にするため、ＬＤステー６０及び基板８０ａ〜８０ｅ（図５参照）を取り外した状態を示す。また、各構成部材の好適な配置関係及びＣＣＤラインセンサ４３ａ〜４３ｅの有効読取領域を数値（ｍｍ）で示す。
【００３５】
ＬＤブラケット１００ａ〜１００ｘには、図４及び図１２に示すように、ガラスブロック１０６が接着剤により固定されており、このガラスブロック１０６にレーザ励起光学系５８ａ〜５８ｘが固定される。レーザ励起光学系５８ａ〜５８ｘは、レーザダイオード４１ａ〜４１ｘ側からシリンダレンズ１０８、ビームスプリッタ１１０及びトーリックレンズ１１２が順に配設される。シリンダレンズ１０８及びトーリックレンズ１１２は、レーザダイオード４１ａ〜４１ｘから出力された励起光Ｌをレーザダイオード４１ａ〜４１ｘの配列方向と直交する方向に集光することで、蓄積性蛍光体シートＩＰに励起光Ｌによるライン状の照射線を形成する。ビームスプリッタ１１０は、レーザダイオード４１ａ〜４１ｘから出力された励起光Ｌを蓄積性蛍光体シートＩＰに導くとともに、一部を側部に固定されたフォトダイオード１１４に導く。フォトダイオード１１４は、レーザダイオード４１ａ〜４１ｘの出力を制御するべく励起光Ｌの強度を検出する。なお、ＬＤブラケット１００ａ〜１００ｘには、レーザダイオード４１ａ〜４１ｘの温度を検出する温度センサ１１６が所定の間隔で装着される。
【００３６】
フレーム側板５２ａ、５２ｂには、図１３に示すように、ＬＤ制御基板６２が装着されたＬＤ制御基板用ブラケット１１８が固定される。ＬＤ制御基板６２には、レーザダイオード４１ａ〜４１ｘが図示しないフレキシブル回路基板を介して接続される。また、ＬＤ制御基板用ブラケット１１８の両側部から突出する取付部１１９ａ、１１９ｂには、ＬＤブラケット１００ａ〜１００ｘ（図６参照）を覆うように装着されるＣＣＤ制御基板用ブラケット１２４の両側部から突出する取付部１２６ａ、１２６ｂが固定される。なお、ＣＣＤ制御基板用ブラケット１２４には、レーザダイオード４１ａ〜４１ｘ等のリード線が挿通する多数の孔部１２５が形成されている。
【００３７】
ここで、ＬＤ制御基板用ブラケット１１８の取付部１１９ａ、１１９ｂと、ＣＣＤ制御基板用ブラケット１２４の取付部１２６ａ、１２６ｂとは、図１４及び図１５に示すようにして連結される。すなわち、取付部１１９ａ、１１９ｂには、孔部１２８が形成され、取付部１２６ａ、１２６ｂには溝部１３０が形成される。取付部１１９ａ、１１９ｂ及び１２６ａ、１２６ｂは、両面接着テープ等により接着された絶縁シート１３２を介して当接し、溝部１３０から孔部１２８に貫通する絶縁性のスリーブ１３４に挿入されるプッシュリベット１３６によって連結される。スリーブ１３４には、プッシュリベット１３６が挿入される孔部１３８に沿ってスリット１４０が形成されるとともに、孔部１３８の先端部が縮径しており、溝部１３０及び孔部１２８にスリーブ１３４を挿入した後、孔部１３８にプッシュリベット１３６を圧入することにより、図１５に示すようにして孔部１３８が拡径し、取付部１１９ａ、１１９ｂ及び１２６ａ、１２６ｂが連結される。
【００３８】
この場合、絶縁シート１３２及び絶縁性のスリーブ１３４によってＣＣＤ制御基板用ブラケット１２４及びＬＤ制御基板用ブラケット１１８間の絶縁が確実に行われるため、ＬＤ制御基板６２及びＣＣＤ制御基板６４における接地ノイズを十分に低減することができる。また、溝部１３０を用いて取付部１２６ａ、１２６ｂの端部側を開放することにより、ＬＤ制御基板用ブラケット１１８及びＣＣＤ制御基板用ブラケット１２４間の熱膨張の差を吸収し、これらを確実に連結することができる。また、取付部１２６ａ、１２６ｂ及び孔部１２８をＬＤ制御基板用ブラケット１１８及びＣＣＤ制御基板用ブラケット１２４に対して折曲することにより、プッシュリベット１３６を他の部材に干渉することなく容易に圧入することができる。
【００３９】
なお、ＬＤ制御基板用ブラケット１１８及びＣＣＤ制御基板用ブラケット１２４は、図１６及び図１７に示す連結構造を用いて連結することもできる。すなわち、ＬＤ制御基板用ブラケット１１８の取付部１１９ａ、１１９ｂに螺子孔１２９を形成する一方、ＣＣＤ制御基板用ブラケット１２４の取付部１２６ａ、１２６ｂに孔部１３１を形成する。そして、取付部１１９ａ、１１９ｂ及び取付部１２６ａ、１２６ｂを絶縁シート１３２を介して当接させた後、螺子部材１４８を絶縁カラー１５０及び圧縮コイルスプリング１５１を介して螺子孔１２９に螺合させる。このようにして、ＬＤ制御基板用ブラケット１１８及びＣＣＤ制御基板用ブラケット１２４が連結される。
【００４０】
ＣＣＤ制御基板用ブラケット１２４には、一端部がＣＣＤラインセンサ４３ａ〜４３ｅに接続された信号ケーブル７６ａ〜７６ｊが挿通されるフェライトコア１４２ａ〜１４２ｊが配設される。なお、フェライトコア１４２ａ〜１４２ｊは、放射ノイズの低減を図るものである。
【００４１】
また、ＬＤ制御基板用ブラケット１１８には、ＣＣＤラインセンサ４３ａ〜４３ｅに接続された信号ケーブル７６ａ〜７６ｊを押さえるためのケーブル押さえ用ブラケット１４４が装着される。この場合、ＬＤ制御基板用ブラケット１１８には、ケーブル押さえ用ブラケット１４４が図示しない螺子部材によって締結される。
【００４２】
ＣＣＤ制御基板用ブラケット１２４には、図１８に示すように、ＣＣＤ制御基板６４が装着される。フェライトコア１４２ａ〜１４２ｊを介して導かれた信号ケーブル７６ａ〜７６ｊは、ＣＣＤ制御基板６４の各コネクタ１５２ａ〜１５２ｊに接続される。ＣＣＤ制御基板６４には、図１９に示すように、ＣＣＤ制御基板６４を保護するとともに放射ノイズを除去するための保護カバー１５４が装着される。
【００４３】
なお、読取部４２には、消去部４４を読取部４２に連結するためのブラケット１５６、１５８及び１６０が配設される。これらのブラケット１５６、１５８及び１６０は、読取部４２のＣＣＤ制御基板６４（図４参照）に連結するブラケット１６２、１６４及び１６６と電気的に接地されている。なお、ブラケット１５６、１５８及び１６０と、ブラケット１６２、１６４及び１６６とを共通化していないのは、読取部４２と消去部４４との位置関係の累積的なずれを回避して位置調整を行い、電気的な接地を確実に行うためである。
【００４４】
本実施形態の放射線画像情報読取装置２０は、基本的には以上のように構成されるものであり、次にその動作及び作用効果について説明する。
【００４５】
先ず、蓄積性蛍光体シートＩＰに対して放射線画像情報を記録する場合について説明する。この場合、読取消去ユニット４０は、図１に示す下端位置に待機している。また、蓄積性蛍光体シートＩＰは、実線で示す撮影台３２寄りの部位に配置される。
【００４６】
そこで、被写体３０の撮影部位に応じ、支柱２４に沿って本体部２６を上下動作させる。次いで、放射線源３４を起動し、Ｘ線を被写体３０に照射する。被写体３０を透過したＸ線は、フォトタイマ３６及びグリッド３８を介して蓄積性蛍光体シートＩＰに照射されることにより、被写体３０の放射線画像情報が蓄積性蛍光体シートＩＰに記録される。
【００４７】
放射線画像情報が記録された後、蓄積性蛍光体シートＩＰは、実線で示す位置から二点鎖線で示す位置まで移動する。次いで、読取消去ユニット移動モータ４８が駆動され、搬送ベルト４６ａ、４６ｂにより読取消去ユニット４０が上昇し、読取部４２による放射線画像情報の読み取りが開始される。
【００４８】
図４において、読取部４２を構成するレーザダイオード４１ａ〜４１ｘから出力された励起光Ｌは、レーザ励起光学系５８ａ〜５８ｘを構成するシリンダレンズ１０８、ビームスプリッタ１１０及びトーリックレンズ１１２を介してＣＣＤ集光光学系５４ａ〜５４ｅの間隙１０４から蓄積性蛍光体シートＩＰに導かれる。この場合、励起光Ｌは、シリンダレンズ１０８及びトーリックレンズ１１２によって副方向に集光されることにより、ライン状の照射線として蓄積性蛍光体シートＩＰに照射される。なお、励起光Ｌは、一部がビームスプリッタ１１０によってフォトダイオード１１４に導かれることで、出力が制御される。
【００４９】
ライン状の励起光Ｌが照射された蓄積性蛍光体シートＩＰからは、蓄積された放射線エネルギに応じた輝尽発光光Ｐが出力される。輝尽発光光Ｐは、ＣＣＤ集光光学系５４ａ〜５４ｅを構成するセルフォックレンズアレイ８２、第１フィルタ８４及び第２フィルタ８６を介して千鳥状に配設されたＣＣＤラインセンサ４３ａ〜４３ｅに導かれる。
【００５０】
この場合、セルフォックレンズアレイ８２は、図９又は図１０に示すように、長手方向の中間部が引張弾性率の大きい第１接着剤８８により固定される一方、両側部が第１接着剤８８よりも引張弾性率の小さい第２接着剤９０ａ、９０ｂにより固定されているため、振動等の影響を受けることなく、ＣＣＤステー５６ａ、５６ｂに対して高精度且つ捻れのない状態で位置決めされている。従って、ＣＣＤ集光光学系５４ａ〜５４ｅは、ＣＣＤラインセンサ４３ａ〜４３ｅの所望の位置に対して輝尽発光光Ｐを高精度に導くことができる。
【００５１】
また、ＣＣＤラインセンサ４３ａ〜４３ｅは、図７に示すように、ＣＣＤステー５６ａ、５６ｂと同一、あるいは、線膨張率が略同一とみなせる第１金属ブロック６６ａ、６６ｂ及び第２金属ブロック７０ａ、７０ｂと、線膨張率の小さいガラスブロック７４ａ、７４ｂとを介してＣＣＤステー５６ａ、５６ｂに固定されている。従って、温度変化の影響を殆ど受けることがなく、ＣＣＤ集光光学系５４ａ〜５４ｅに対する位置関係を高精度に維持した状態で輝尽発光光Ｐを受光することができる。この結果、ＣＣＤラインセンサ４３ａ〜４３ｅには、輝尽発光光Ｐが正確に導かれる。
【００５２】
なお、ＣＣＤラインセンサ４３ａ〜４３ｅは、第１金属ブロック６６ａ、６６ｂを介して第２金属ブロック７０ａ、７０ｂに螺子部材７２によって位置決め固定されている。そのため、例えば、第２金属ブロック７０ａ、７０ｂが固定されるガラスブロック７４ａ、７４ｂに欠けが生じたり、あるいは、ガラスブロック７４ａ、７４ｂの接着固定位置にずれが生じたような場合には、高価なＣＣＤラインセンサ４３ａ〜４３ｅをガラスブロック７４ａ、７４ｂとともに廃棄して交換するのではなく、ＣＣＤラインセンサ４３ａ〜４３ｅを第１金属ブロック６６ａ、６６ｂを介して第２金属ブロック７０ａ、７０ｂから取り外し、ガラスブロック７４ａ、７４ｂ及び第２金属ブロック７０ａ、７０ｂを交換し、あるいは、第２金属ブロック７０ａ、７０ｂに対するＣＣＤラインセンサ４３ａ〜４３ｅの取付位置を調整することで容易に対応することができる。この場合、高価なＣＣＤラインセンサ４３ａ〜４３ｅを交換する必要がないため、極めて経済的である。
【００５３】
ＣＣＤラインセンサ４３ａ〜４３ｅは、導入された輝尽発光光Ｐを電気信号に変換する。この電気信号は、信号ケーブル７６ａ〜７６ｊを介してＣＣＤ制御基板６４に供給されて所定の信号処理が施された後、図示しない外部の画像処理装置に送信される。なお、読取部４２は、ガイドレール４９ａ、４９ｂに沿って上昇することで蓄積性蛍光体シートＩＰを走査し、全面に記録された放射線画像情報が二次元的に読み取られる。
【００５４】
次に、読取消去ユニット４０が上端位置まで移動し、読取部４２による蓄積性蛍光体シートＩＰからの放射線画像情報の読み取りが完了した後、読取消去ユニット４０が下降を開始し、消去部４４による消去処理が行われる。消去部４４は、冷陰極管４５ａ〜４５ｍから出力された消去光を蓄積性蛍光体シートＩＰに照射する。消去光が照射された蓄積性蛍光体シートＩＰからは、残存する放射線エネルギが放出される。この処理を読取消去ユニット４０が下端位置に移動するまで継続し、蓄積性蛍光体シートＩＰの全面の消去処理が完了する。
【００５５】
なお、上述した実施形態では、被走査体から情報を読み取る場合について説明したが、被走査体に対して走査部を移動させることで情報を記録する場合にも適用することができる。
【図面の簡単な説明】
【００５６】
【図１】本発明の光学素子固定構造が適用される放射線画像情報読取装置の概略構成図である。
【図２】図１に示す放射線画像情報読取装置を構成する読取消去ユニット及びその移動機構の斜視構成図である。
【図３】図１に示す放射線画像情報読取装置を構成する読取部の主要構成要素の模式的配置図である。
【図４】図１に示す放射線画像情報読取装置を構成する読取部の一部を模式的に示した要部断面図である。
【図５】図１に示す放射線画像情報読取装置を構成する読取部におけるＣＣＤ集光光学系の取付状態の斜視構成図である。
【図６】図１に示す放射線画像情報読取装置を構成する読取部におけるＬＤブラケットの取付状態の斜視構成図である。
【図７】図１に示す放射線画像情報読取装置を構成する読取部におけるＣＣＤラインセンサ及びＣＣＤ集光光学系の取付状態の斜視構成図である。
【図８】図７に示すＣＣＤラインセンサの取付状態の分解斜視図である。
【図９】図７に示すＣＣＤ集光光学系を構成するセルフォックレンズアレイの固定状態を示す断面図である。
【図１０】図７に示すＣＣＤ集光光学系を構成するセルフォックレンズアレイの固定状態の他の実施形態を示す断面図である。
【図１１】図１に示す放射線画像情報読取装置を構成する読取部におけるＬＤブラケット及びＣＣＤラインセンサの配置関係の説明図である。
【図１２】図１に示す放射線画像情報読取装置を構成する読取部におけるレーザ励起光学系の斜視構成図である。
【図１３】図１に示す放射線画像情報読取装置を構成する読取部におけるＣＣＤ制御基板用ブラケットの取付状態の斜視構成図である。
【図１４】図１に示す放射線画像情報読取装置を構成する読取部におけるＬＤ制御基板用ブラケット及びＣＣＤ制御基板用ブラケットの連結構造を示す分解断面図である。
【図１５】図１４に示す連結構造の連結状態の断面図である。
【図１６】図１に示す放射線画像情報読取装置を構成する読取部におけるＬＤ制御基板用ブラケット及びＣＣＤ制御基板用ブラケットの他の連結構造を示す分解断面図である。
【図１７】図１６に示す連結構造の連結状態の断面図である。
【図１８】図１に示す放射線画像情報読取装置を構成する読取部におけるＣＣＤ制御基板の取付状態の斜視構成図である。
【図１９】図１に示す放射線画像情報読取装置を構成する読取部における保護カバーの取付状態の斜視構成図である。
【符号の説明】
【００５７】
２０…放射線画像情報読取装置      ２６…本体部
４０…読取消去ユニット            ４１ａ〜４１ｘ…レーザダイオード
４２…読取部                      ４３ａ〜４３ｅ…ＣＣＤラインセンサ
４４…消去部                      ５２ａ、５２ｂ…フレーム側板
５４ａ〜５４ｅ…ＣＣＤ集光光学系  ５６ａ、５６ｂ…ＣＣＤステー
５８ａ〜５８ｘ…レーザ励起光学系  ６０…ＬＤステー
６２…ＬＤ制御基板                ６４…ＣＣＤ制御基板
６６ａ、６６ｂ…第１金属ブロック  ７０ａ、７０ｂ…第２金属ブロック
７４ａ、７４ｂ、１０６…ガラスブロック
８２…セルフォックレンズアレイ    ８４…第１フィルタ
８６…第２フィルタ                ８８…第１接着剤
９０ａ、９０ｂ…第２接着剤        １０８…シリンダレンズ
１１０…ビームスプリッタ          １１２…トーリックレンズ
１１４…フォトダイオード          ＩＰ…蓄積性蛍光体シート
【図１】
2005070642.tif 000003
【図２】
2005070642.tif 000004
【図３】
2005070642.tif 000005
【図４】
2005070642.tif 000006
【図５】
2005070642.tif 000007
【図６】
2005070642.tif 000008
【図７】
2005070642.tif 000009
【図８】
2005070642.tif 000010
【図９】
2005070642.tif 000011
【図１０】
2005070642.tif 000012
【図１１】
2005070642.tif 000013
【図１２】
2005070642.tif 000014
【図１３】
2005070642.tif 000015
【図１４】
2005070642.tif 000016
【図１５】
2005070642.tif 000017
【図１６】
2005070642.tif 000018
【図１７】
2005070642.tif 000019
【図１８】
2005070642.tif 000020
【図１９】
2005070642.tif 000021